(57)【要約】【課題】  保形性および乾湿に対する寸法安定性に優れ、鍵の押鍵強さに応じたハンマーの回動速度を安定して得られるとともに、製造コストを削減することができるピアノのハンマー装置を提供する。【解決手段】  本発明のピアノのハンマー装置１は、シャンクフレンジ３と、ハンマーシャンク４およびハンマーヘッド５を一体に有し、シャンクフレンジ３に回動自在に支持され、押鍵に伴って回動するハンマー２と、ハンマーシャンク４の下面に取り付けられたシャンクローラ１２と、を備え、ハンマーシャンク４は、合成樹脂で構成され、シャンクフレンジ３に回動自在に支持されるシャンクホルダ７と、シャンクホルダ７の下面に一体に成形され、シャンクローラ１２が取り付けられるシャンクローラ取付部１３〜１５と、一端部がシャンクホルダ７に保持され、他端部にハンマーヘッド５が設けられるシャンク本体６と、を有する。【選択図】  図１
2006171617.tif 000002
【特許請求の範囲】
【請求項１】
シャンクフレンジと、
ハンマーシャンクおよびハンマーヘッドを一体に有し、前記シャンクフレンジに回動自在に支持され、鍵の押鍵に伴って回動するハンマーと、
前記ハンマーシャンクの下面に取り付けられたシャンクローラと、を備え、
前記ハンマーシャンクは、
合成樹脂で構成され、前記シャンクフレンジに回動自在に取り付けられるシャンクホルダと、
前記シャンクホルダの下面に一体に成形され、前記シャンクローラが取り付けられるシャンクローラ取付部と、
一端部が前記シャンクホルダに保持され、他端部に前記ハンマーヘッドが設けられるシャンク本体と、
を有することを特徴とするピアノのハンマー装置。
【請求項２】
前記シャンクフレンジが合成樹脂で構成されていることを特徴とする、請求項１に記載のピアノのハンマー装置。
【請求項３】
前記シャンク本体が木材で構成されていることを特徴とする、請求項１または２に記載のピアノのハンマー装置。
【請求項４】
前記合成樹脂がＡＢＳ樹脂であることを特徴とする、請求項１ないし３のいずれかに記載のピアノのハンマー装置。
【請求項５】
前記シャンクホルダの左右の側面に、重量を軽減するための肉盗み部が形成されていることを特徴とする、請求項１ないし４のいずれかに記載のピアノのハンマー装置。
【請求項６】
前記シャンクローラ取付部は、前記シャンクホルダの前記下面に突出するように形成されたローラ芯と、当該ローラ芯の前後両側に形成された中芯接着部と、当該中芯接着部の前後両側に形成された表皮接着部とを有し、
前記シャンクローラは、
円弧状に湾曲した周面および直線状の底面によって取り囲まれた形状を有し、前記底面に凹部を形成した中芯と、
当該中芯の前記周面を覆う表皮とを有し、
前記中芯の前記凹部を前記ローラ芯にはめ込み、前記底面を前記中芯接着部に接着するとともに、前記表皮の両端部を前記表皮接着部に接着することによって、前記シャンクホルダに取り付けられていることを特徴とする、請求項１ないし５のいずれかに記載のピアノのハンマー装置。
【発明の詳細な説明】
【技術分野】
【０００１】
本発明は、グランドピアノなどにおいて用いられ、ハンマーおよびこれを支持するシャンクフレンジなどで構成されるピアノのハンマー装置に関する。
【背景技術】
【０００２】
図７は、従来の一般的なグランドピアノのハンマー５１を、シャンクフレンジ５４とともに示しており、これらは鍵６０（図８参照）ごとに設けられている。ハンマー５１は、ハンマーシャンク５２およびハンマーヘッド５３などで構成されている。ハンマーシャンク５２は、細長い棒状に形成されており、その後端部にハンマーヘッド５３が設けられている。ハンマーシャンク５２の前端部には、二股に分岐した互いに平行な２つの腕部５２ａ，５２ａが、前方に延びるように形成されている。また、ハンマーシャンク５２は、従来一般に、木材で構成されている。これは、木材は、入手が容易で、腕部５２ａなどを加工する際の加工性が良いとともに、軽量性と高い剛性を併せ持つためである。
【０００３】
また、ハンマーシャンク５２の下面の前端部には、シャンクローラ５６が取り付けられており、ハンマーシャンク５２は、このシャンクローラ５６を介して、アクション５８のレペティションレバー５９に載置されている（図８参照）。シャンクローラ５６は、木材の加工によって形成された板状のローラ芯５６ａと、羊毛のクロスなどで構成され、ローラ芯５６ａに、その一部を残し、表裏の両面をくるむように巻かれた円柱状の中芯５６ｂと、人工皮革などで構成され、中芯５６ｂの外側に巻かれた表皮５６ｃによって構成されている。一方、ハンマーシャンク５２の下面には、これを横断する取付溝５２ｂが切削加工などで形成されており、シャンクローラ５６は、ローラ芯５６ａを取付溝５２ｂに差し込み、接着することによって、ハンマーシャンク５２に取り付けられている。
【０００４】
シャンクフレンジ５４は、ハンマーシャンク５２と同じ理由から、従来一般に、木材で構成されている。シャンクフレンジ５４は、断面が矩形状に形成されており、フレンジねじ５７を介して、ハンマーシャンクレール６２に固定されている（図８参照）。シャンクフレンジ５４の後端部には、所定の幅の係合部５４ａが後方に突出するように形成されており、この係合部５４ａが、ハンマーシャンク５２の腕部５２ａ，５２ａの間に、若干のクリアランスをもって係合している。これらの腕部５２ａ，５２ａおよび係合部５４ａにはピン５５が通されており、ハンマーシャンク５２は、このピン５５を介して、シャンクフレンジ５４に、水平軸線回りに回動自在に支持されている。
【０００５】
以上の構成により、鍵６０が押鍵されると、それに伴い、ハンマーシャンク５２が、シャンクローラ５６を介してアクション５８のジャック６１で突き上げられることによって、ハンマー５１が上方に回動し、ハンマーヘッド５３が弦Ｓを打弦することによって、ピアノの発音が行われる。この回動の際、ハンマー５１は、ハンマーシャンク５２が腕部５２ａ，５２ａおよび係合部５４ａで案内されることにより、左右にぶれることなく回動する。
【０００６】
また、従来の他のハンマーシャンクとして、特許文献１に開示されたものが知られている。このハンマーシャンクは、断面が矩形状の細長い棒状に形成されている。ハンマーシャンクの前端部には、従来のハンマーシャンク５２と同様、二股に分岐した互いに平行な２つの腕部が形成されている。ハンマーシャンクは、木材で構成されており、その腕部以外の部分の上面および下面には炭素繊維が貼り付けられており、それにより、木材のみで構成された場合よりも高い剛性を得るようにしている。
【０００７】
前述したように、ハンマーシャンク５２の材料としては従来一般に、軽量性と剛性を併せ持つ木材が用いられている。特に、ハンマーシャンク５２の場合には、一端部に取り付けたハンマーヘッド５３が弦Ｓを打弦するため、鍵６０が強く押鍵されたときでも、押鍵エネルギーを弦Ｓに十分に伝達することにより豊かな音量が得られるよう、高い剛性が要求される。また、できるだけ大きな音量を確保するためには、ハンマー５１の回動速度を高くすることが好ましく、そのために軽量性が要求される。
【０００８】
しかし、その一方で、天然の素材である木材は、均質性に乏しく、残留した応力などにより反りやねじれなどの変形が発生しやすいという欠点を有する。このため、そのような変形がハンマーシャンク５２の腕部５２ａに生じた場合には、ハンマー５１が円滑に回動できなくなる。また、木材は、乾湿による寸法変化が大きいので、ハンマーシャンク５２の腕部５２ａ，５２ａとシャンクフレンジ５４の係合部５４ａとの間のクリアランスが、乾湿に応じて比較的大きく変化する。このクリアランスは、回動するハンマーシャンク５２を左右にぶれないように案内するために、もともと狭く設定されているので、その変化量が大きいと、ハンマーシャンク５２がシャンクフレンジ５４に対して、緩くなったり、きつくなったりする。その結果、回動抵抗がばらついてしまい、鍵６０の押鍵強さに応じたハンマー５１の回動速度を安定して得ることができない。
【０００９】
このことは、特許文献１に開示されたハンマーシャンクについても同様である。すなわち、このハンマーシャンクは、炭素繊維を貼り付けた部分の剛性は高められるものの、シャンクフレンジに支持される腕部の部分は、従来一般のものと同様、木材のみで構成されているので、変形やクリアランスの変化が生じやすく、やはり鍵の押鍵強さに応じたハンマーの回動速度が安定して得られない。
【００１０】
また、ハンマーシャンク５２に、腕部５２ａや、シャンクローラ５６を取り付けるための取付溝５２ａを加工するとともに、シャンクローラ５６のローラ芯５６ａを木材の加工によって形成することが必要であり、これらの加工の分、製造コストが上昇してしまう。
【００１１】
本発明は、このような課題を解決するためになされたものであり、保形性および乾湿に対する寸法安定性に優れ、鍵の押鍵強さに応じたハンマーの回動速度を安定して得ることができるとともに、製造コストを削減することができるピアノのハンマー装置を提供することを目的とする。
【００１２】
【特許文献１】実開昭５８−１１３０８９号公報
【発明の開示】
【課題を解決するための手段】
【００１３】
この目的を達成するため、本発明の請求項１によるピアノのハンマー装置は、シャンクフレンジと、ハンマーシャンクおよびハンマーヘッドを一体に有し、シャンクフレンジに回動自在に支持され、鍵の押鍵に伴って回動するハンマーと、ハンマーシャンクの下面に取り付けられたシャンクローラと、を備え、ハンマーシャンクは、合成樹脂で構成され、シャンクフレンジに回動自在に支持されるシャンクホルダと、シャンクホルダの下面に一体に成形され、シャンクローラが取り付けられるシャンクローラ取付部と、一端部がシャンクホルダに保持され、他端部にハンマーヘッドが設けられるシャンク本体と、を有することを特徴とする。
【００１４】
このピアノのハンマー装置によれば、ハンマーシャンクは、シャンク本体と、シャンク本体の一端部を保持し、シャンクフレンジに回動自在に支持されるシャンクホルダを有しており、このシャンクホルダが合成樹脂で構成されている。合成樹脂は、木材と比較して、保形性が高く、反りおよびねじれなどの変形が非常に小さい。したがって、合成樹脂で構成されたシャンクホルダを介して、ハンマーをシャンクフレンジ回りに円滑に回動させることができる。また、合成樹脂は、成形精度が高いとともに、寸法安定性に優れ、乾湿による伸縮も非常に小さい。したがって、シャンクホルダとシャンクフレンジとの間のクリアランスの変化を十分に抑制でき、それにより、ハンマーの回動抵抗のばらつきを抑制することによって、鍵の押鍵強さに応じたハンマーの回動速度を安定して得ることができる。また、シャンクホルダの下面にシャンクローラ取付部が一体に成形され、このシャンクローラ取付部にシャンクローラが取り付けられるので、従来におけるハンマーシャンクへの取付溝の加工が不要になり、その分、ハンマーの製造コストを削減することができる。
【００１５】
請求項２に係る発明は、請求項１に記載のピアノのハンマー装置において、シャンクフレンジが合成樹脂で構成されていることを特徴とする。
【００１６】
この構成では、シャンクホルダが合成樹脂で構成されるのに加えて、これを支持するシャンクフレンジもまた合成樹脂で構成されている。したがって、シャンクフレンジの変形も非常に小さいとともに、シャンクホルダとの間のクリアランスの変化をさらに抑制でき、それにより、鍵の押鍵強さに応じたハンマーの回動速度をさらに安定して得ることができる。
【００１７】
請求項３に係る発明は、請求項１または２に記載のピアノのハンマー装置において、シャンク本体が木材で構成されていることを特徴とする。
【００１８】
この構成によれば、請求項１または２による前述した作用に加えて、シャンク本体が木材で構成されることにより、軽量性と高い剛性を併せ持つという木材の利点を同時に得ることができる。すなわち、ハンマーの回動速度を高め、押鍵エネルギーをハンマーから弦に効率良く伝達することによって、豊かな音量を得ることができる。
【００１９】
請求項４に係る発明は、請求項１ないし３のいずれかに記載のピアノのハンマー装置において、合成樹脂がＡＢＳ樹脂であることを特徴とする。
【００２０】
シャンクホルダにはシャンク本体などが取り付けられるとともに、シャンクローラ取付部にはシャンクローラが取り付けられる。一方、ＡＢＳ樹脂は、合成樹脂の中では、成形精度が高いとともに、接着性が高いという特性を有する。したがって、シャンクホルダおよびシャンク取付部を構成する合成樹脂として、ＡＢＳ樹脂を用いることにより、シャンク本体やシャンクローラの取付を、接着によって容易に行うことができ、その組立性を向上させることができる。
【００２１】
請求項５に係る発明は、請求項１ないし４のいずれかに記載のピアノのハンマー装置において、シャンクホルダの左右の側面に、重量を軽減するための肉盗み部が形成されていることを特徴とする。
【００２２】
この構成によれば、肉盗み部によってシャンクホルダが軽量化されるので、それにより、ハンマーの回動速度が高められることによって、より豊かな音量を得ることができる。また、シャンクホルダが合成樹脂で構成されているので、そのような肉盗み部を、成形時に容易にかつ精度良く形成することができる。  
【００２３】
請求項６に係る発明は、請求項１ないし５のいずれかに記載のピアノのハンマー装置において、シャンクローラ取付部は、シャンクホルダの下面に突出するように形成されたローラ芯と、ローラ芯の前後両側に形成された中芯接着部と、中芯接着部の前後両側に形成された表皮接着部とを有し、シャンクローラは、円弧状に湾曲した周面および直線状の底面によって取り囲まれた形状を有し、底面に凹部を形成した中芯と、中芯の周面を被う表皮とを有し、中芯の凹部をローラ芯にはめ込み、底面を中芯接着部に接着するとともに、表皮の両端部を表皮接着部に接着することによって、シャンクホルダに取り付けられていることを特徴とする。
【００２４】
この構成によれば、シャンクホルダの下面には、下方に突出するローラ芯と、その前後両側の中芯接着部と、その前後両側の表皮接着部が、一体に形成されている。一方、シャンクローラは、中芯と、中芯を被う表皮を有しており、中芯の底面に形成された凹部をローラ芯にはめ込み、中芯の底面を中芯接着部に接着するとともに、表皮の両端部を表皮接着部に接着することによって、シャンクホルダに取り付けられる。したがって、シャンクホルダへのシャンクローラの取付を強固に行うことができる。また、これらのローラ芯、中芯接着部および表皮接着部が、シャンクホルダと一体に成形されるので、従来のようなローラ芯の木材加工をまったく必要とすることなく、安価にかつ精度良く形成することができる。さらに、中芯は、円弧状に湾曲した周面と直線状の底面で取り囲まれた形状を有するので、従来の円柱形のシャンクローラよりも材料コストを削減することができる。
【発明を実施するための最良の形態】
【００２５】
以下、図面を参照しながら、本発明の好ましい実施形態を、詳細に説明する。なお、以下の説明では、グランドピアノを演奏者から見た場合の手前側（図５の右側）を「前」、奥側（図５の左側）を「後」とし、さらに多数の鍵２２（図５に１つのみ図示）の並び方向を「左右方向」として、説明を行うものとする。図１に示す第１実施形態によるハンマー装置１は、鍵２２ごとに設けられており、ハンマー２と、これを回動自在に支持するシャンクフレンジ３などで構成され、ハンマー２は、ハンマーシャンク４およびハンマーヘッド５を一体に有している。
【００２６】
ハンマーシャンク４は、前後方向に延びるシャンク本体６と、シャンク本体６の前端部に設けられ、これを保持するシャンクホルダ７で構成されている。シャンク本体６は、通常のハンマーシャンクと同様、シデなどの木材で構成されており、木材の切削加工によって、径がほぼ一定の棒状に形成されている。
【００２７】
一方、シャンクホルダ７は、ＡＢＳ樹脂などの合成樹脂の成形品で構成されており、図２および図３に示すように、前後方向に長いブロック状のものである。シャンクホルダ７の後部には、前後方向に延び、背面に開口する取付孔８が形成されており、この取付孔８にシャンク本体６の前端部を差し込み、接着することによって、シャンク本体６がシャンクホルダ７に固定されている。シャンクホルダ７の前部は、二股に分岐した２つの腕部９，９になっており、互いに平行に前方に延びている。腕部９，９には、側方に貫通するピン孔１０，１０が互いに対向するように形成され、これらのピン孔１０，１０に、ブッシングクロス（図示せず）を介してピン１１が取り付けられている（図１参照）。
【００２８】
また、図２に示すように、シャンクホルダ７の中央部の下面には、シャンクローラ１２を取り付けるためのシャンクローラ取付部として、ローラ芯１３が、シャンクホルダ７の左右方向の幅全体にわたって下方に突出するように一体に形成されている。また、シャンクローラ取付部として、ローラ芯１３の前後両側には中芯接着部１４が形成され、さらにその前後両側には表皮接着部１５が形成されており、これらは、ローラ芯１３を中心として前後対称に配置されている。中芯接着部１４は平面で構成され、表皮接着部１５は、中芯接着部１４に対して斜めの斜面と、この斜面に対してほぼ直角の底面で構成されている。さらに、シャンクホルダ７の中央部の左右の側面には、その外形に沿うように、肉盗み部１６が形成されている。この肉盗み部１６の深さは、腕部９の後部付近では、その形状に沿うように中央側に向かって次第に深くなるとともに、他の部分では一定になっている。
【００２９】
図４に示すように、シャンクローラ１２は、中芯１７と、中芯１７を覆う表皮１８で構成されている。中芯１７は、羊毛のクロスなどで構成されており、ローラ芯１３と同じ幅を有するとともに、円弧状に湾曲した周面１７ａと直線状の底面１７ｂによって取り囲まれており、ほぼ半円形に形成されている。中芯１７の底面１７ｂには、凹部１７ｃが形成されている。一方、表皮１８は、ポリエステルをベースにした人工皮革などで構成されており、中芯１７の周面１７ａ全体を覆うとともに、両端部が周面１７ａから若干はみ出した状態で、中芯１７に接着されている。以上の構成のシャンクローラ１２は、その凹部１７ｃをローラ芯１３にはめ込み、底面１７ｂを中芯接着部１４に接着するとともに、表皮１８の両端部を表皮接着部１５に接着することによって、シャンクホルダ７に取り付けられている。
【００３０】
ハンマーヘッド５は、ハンマーシャンク４の後端部に一体に設けられ、これと直交するように延びている。ハンマーヘッド５は、木材などで構成されたハンマーウッド５ａと、その先端部を包むように順に巻かれたアンダーフェルト５ｂおよびトップフェルト５ｃで構成されている。
【００３１】
ハンマー２を支持するシャンクフレンジ３は、ＡＢＳ樹脂などの合成樹脂で構成されている。図１に示すように、シャンクフレンジ３は、断面がほぼ矩形の細長い本体部３ａと、その背面から後方に突出する係合部３ｂを一体に有している。係合部３ｂは、所定の幅を有し、その両側面が互いに平行に形成されており、シャンクホルダ７の腕部９，９の間に、若干のクリアランスをもって係合している。また、係合部３ｂには、ピン孔（図示せず）が側方に貫通するように形成されている。そして、このピン孔にピン１１が通されることによって、シャンクホルダ７はピン１１に回動自在に取り付けられており、それにより、ハンマー２はシャンクフレンジ３に、水平な軸線回りに回動自在に支持されている。
【００３２】
また、シャンクフレンジ３の本体部３ａの中央部には、シャンクフレンジ３を後述するハンマーシャンクレール１９に取り付けるための取付孔３ｃが、上下方向に貫通するように形成されている。さらに、本体部３ａと係合部３ｂとの境界付近には、上下方向に貫通するねじ孔３ｄが形成されており、このねじ孔３ｄに、後述するレペティションレバー２０の上方への回動を規制するためのドロップスクリュー２１が、下方から進退自在にねじ込まれている。
【００３３】
次に、鍵２２の押鍵に伴ってハンマー２を回動させるアクション２３の構成を、図５を参照して説明する。同図に示すように、アクション２３は、鍵２２ごとに設けられ、前後方向に延びる回動自在のウィッペン２４と、ウィッペン２４に回動自在に取り付けられたレペティションレバー２０およびジャック２５を備えており、左右のブラケット２６，２６（一方のみ図示）の間に取り付けられている。ブラケット２６，２６は、鍵２２を載置する筬（図示せず）の左右端部にそれぞれ固定され、それらの間にウィッペンレール２７が渡されていて、このウィッペンレール２７にねじ止めした各ウィッペンフレンジ２８に、ウィッペン２４の後端部が回動自在に取り付けられている。各ウィッペン２４は、対応する鍵２２の上面後部に設けられたキャプスタンボタン２９に、ウィッペンヒール３０を介して載っている。
【００３４】
また、左右のブラケット２６，２６の間には、ハンマーシャンクレール１９が渡されている。このハンマーシャンクレール１９には、多数のねじ穴（図示せず）が左右方向に並ぶように形成されており、シャンクフレンジ３は、その取付孔３ｃに通したフレンジねじ３１を、ハンマーシャンクレール１９のねじ穴（図示せず）にねじ込むことによって、ハンマーシャンクレール１９に固定されている。
【００３５】
レペティションレバー２０は、断面が矩形状で、斜め前上がりに前後方向に延びており、その中央部において、ウィッペン２４に回動自在に取り付けられている。レペティションレバー２０の後端部には、レバースクリュー３２が上下方向に貫通した状態で進退自在に螺合しており、その下端部にレバーボタン３３が一体に設けられている。また、レペティションレバー２０は、ウィッペン２４に取り付けたレペティションスプリング３４によって、復帰方向（図５の反時計方向）に付勢されている。以上の構成により、鍵２２の離鍵状態では、レペティションレバー２０は、レペティションスプリング３４のばね力により復帰側に回動していて、レバーボタン３３がウィッペン２４の上面に当接しているとともに、レバースクリュー３２を回すことによって、離鍵状態におけるレペティションレバー２０の角度を調整することが可能である。
【００３６】
レペティションレバー２０の前部の所定位置には、上下方向に貫通するジャック案内孔２０ａが形成されている。このレペティションレバー２０の上面のジャック案内孔２０ａ付近に、ハンマー２がシャンクローラ１２を介して載置されている。また、レペティションレバー２０の上面の前端部には、レバースキン３５が貼り付けられており、ドロップスクリュー２１に対向している。この構成により、ドロップスクリュー２１を回し、その下方への突出量を調整することによって、これにレペティションレバー２０が当接するレットオフ位置を調整することが可能である。
【００３７】
ジャック２５は、上下方向に延びるハンマー突上げ部２５ａと、その下端部から後方にほぼ直角に延びるレギュレーティングボタン当接部２５ｂとから、Ｌ字状に形成されており、その角部においてウィッペン２４の前端部に回動自在に取り付けられている。ハンマー突上げ部２５ａの上端部は、レペティションレバー２０のジャック案内孔２０ａに、前後方向に移動自在に係合するとともに、離鍵状態においてはシャンクローラ１２と微小な間隔を存して対向している。また、ジャック２５は、前記レペティションスプリング３４によって、復帰方向（図５の反時計方向）に付勢されている。
【００３８】
また、ジャック２５のハンマー突上げ部２５ａの中間部には、ジャック２５の角度位置を調整するためのジャックボタンスクリュー３６が、前後方向に貫通した状態で進退自在に螺合している。ジャックボタンスクリュー３６の先端部には、ジャックボタン３７が一体に設けられており、このジャックボタン３７は、離鍵状態では、ウィッペン２４に立設されたスプーン３８に当接している。したがって、このジャックボタンスクリュー３６を回すことによって、離鍵状態におけるジャック２５の角度位置を調整することが可能である。
【００３９】
一方、ハンマーシャンクレール１９の下面には、レギュレーティングレール３９がねじ止めされており、このレギュレーティングレール３９の下面に、ジャック２５の上方への回動を規制するレギュレーティングボタン４０が進退自在に螺合していて、ジャック２５のレギュレーティングボタン当接部２５ｂの前端部と所定の間隔をもって対向している。
【００４０】
以上の構成のアクション２３によれば、図５に示す離鍵状態から鍵２２が押鍵されると、ウィッペン２４が、キャプスタンボタン２９を介して突き上げられることにより、上方に回動するとともに、レペティションレバー２０およびジャック２５が、ウィッペン２４と一緒に上方に移動する。これに伴い、まず、レペティションレバー２０がシャンクローラ１２を介してハンマーシャンク４を押し上げることにより、ハンマー２は、シャンクホルダ７の腕部９，９およびシャンクフレンジ３の係合部３ｂに案内されながら、上方に回動する。次いで、レペティションレバー２０がドロップスクリュー２１に係合することにより、その回動が阻止されることで、ジャック２５がシャンクローラ１２を介してハンマーシャンク４を突き上げる。その後、ハンマー２のハンマーヘッド５が、上方に張られた弦Ｓを打弦する直前まで回動した時点で、ジャック２５が、レギュレーティングボタン４０に係合し、その回動が阻止されることによって、シャンクローラ１２から抜ける。これにより、ハンマー２は、アクション２３および鍵２２との連結を解かれ、自由回動状態となり、ハンマーヘッド５が弦Ｓを打弦することによって、発音が行われる。
【００４１】
以上のように、本実施形態によれば、シャンクフレンジ３に回動自在に支持されるハンマーシャンク４のシャンクホルダ７が、合成樹脂で構成されているので、その保形性が高く、反りおよびねじれなどの変形が非常に小さいとともに、寸法安定性に優れ、乾湿による伸縮も非常に小さい。したがって、シャンクホルダ７とシャンクフレンジ３との間のクリアランスの変化を十分に抑制でき、それにより、ハンマー２の回動抵抗のばらつきを抑制することによって、鍵２２の押鍵強さに応じたハンマー２の回動速度を安定して得ることができる。また、シャンクローラ１２を取り付けるためのローラ芯１３が、シャンクホルダ７と一体に成形されるので、従来における、ハンマーシャンク５２への取付溝５２ｂの加工や、ローラ芯５６ａの木材加工が不要になる。さらに、腕部９もまたシャンクホルダ７と一体に成形され、その加工も不要になるので、以上により、ハンマー２の製造コストを削減することができる。
【００４２】
また、シャンクホルダ７に加えて、これを支持するシャンクフレンジ３もまた合成樹脂で構成されているので、シャンクフレンジ３の変形や乾湿による伸縮も非常に小さい。したがって、シャンクホルダ７とシャンクフレンジ３との間のクリアランスの変化をさらに抑制でき、それにより、鍵２２の押鍵強さに応じたハンマー２の回動速度をさらに安定して得ることができる。
【００４３】
さらに、ハンマーシャンク４のシャンク本体６が木材で構成されているので、軽量性と高い剛性を併せ持つという木材の利点を同時に得ることができ、したがって、ハンマー２の回動速度を高め、押鍵エネルギーをハンマー２から弦Ｓに効率良く伝達することによって、豊かな音量を得ることができる。また、肉盗み部１６によってシャンクホルダ７が軽量化されているので、ハンマー２の回動速度がさらに高められることによって、より豊かな音量を得ることができる。また、シャンクホルダ７が合成樹脂で構成されているので、そのような肉盗み部１６を、成形時に容易にかつ精度良く形成することができる。
【００４４】
また、シャンクホルダ７およびローラ芯１３を構成する合成樹脂として、接着性が高いＡＢＳ樹脂を用いているので、シャンクホルダ７へのシャンク本体６の取付やローラ芯１３へのシャンクローラ１２の取付を、接着によって容易に行うことができ、その組立性を向上させることができる。
【００４５】
さらに、シャンクホルダ７の下面に、ローラ芯１３に加えて、中芯接着部１４および表皮接着部１５が一体に形成されていて、シャンクローラ１２の凹部１７ｃをローラ芯１３にはめ込み、中芯１７の底面１７ｂを中芯接着部１４に接着するとともに、表皮１８の両端部を表皮接着部１５に接着することによって、シャンクローラ１２をシャンクホルダ７に取り付けるので、このシャンクローラ１２の取付を強固に行うことができる。また、これらの中芯接着部１４および表皮接着部１５もまた、シャンクホルダ７と一体に成形されるので、加工をまったく必要とすることなく、安価にかつ精度良く形成することができる。さらに、中芯１７は、円弧状に湾曲した周面１７ａと直線状の底面１７ｂで取り囲まれた、ほぼ半円形に形成されているので、従来の円柱形のシャンクローラ５６よりも材料コストを削減することができる。  
【００４６】
図６は、本発明の第２実施形態によるハンマー装置のシャンクホルダを示している。第１実施形態のシャンクホルダ７と同様、このシャンクホルダ４１もまた、ＡＢＳ樹脂などの合成樹脂の成形品で構成されている。シャンクホルダ４１の後部には、取付孔４２が前後方向に延びるように形成されており、この取付孔４２にシャンク本体６が差し込まれ、接着などによって取り付けられる。シャンクホルダ４１の前部には、互いに平行な２つの腕部４３，４３が形成されており、第１実施形態と同様、腕部４３，４３に形成されたピン孔４４，４４にピン１１（図示せず）が取り付けられる。
【００４７】
また、シャンクホルダ４１の中央部の下面には、シャンクローラ１２を取り付けるための取付溝４５（シャンクローラ取付部）が、シャンクホルダ４１の左右方向の幅全体にわたって形成されている。この取付溝４５は、図７に示したような、ローラ芯５６ａ、円柱状の中芯５６ｂおよび表皮５６ｃで構成された、通常のシャンクローラ５６を取り付けるためのものである。さらに、シャンクホルダ４１の中央部の左右の側面には、その外形に沿うように、肉盗み部４６が形成されている。この肉盗み部４６の深さは、腕部４３の後部付近では、その形状に沿うように中央側に向かって次第に深くなるとともに、他の部分では一定になっている。他の構成は、第１実施形態のハンマー装置１と同じである。
【００４８】
したがって、この第２実施形態によれば、取付溝４５に通常のシャンクローラ５６のローラ芯５６ａを差し込み、接着することによって、シャンクローラ５６を取り付けることができる。また、この取付溝４５は、シャンクホルダ４１と一体に成形されるので、従来におけるハンマーシャンク５２への取付溝５２ｂの加工が不要になり、その分、製造コストを削減することができる。その他の効果については、第１実施形態とまったく同様である。すなわち、シャンクホルダ４１およびシャンクフレンジ３が合成樹脂で構成されることによって、両者の間のクリアランスの変化を十分に抑制でき、それにより、鍵２２の押鍵強さに応じたハンマー２の回動速度を安定して得ることができる。また、合成樹脂としてＡＢＳ樹脂を用いることによって、シャンク本体６およびシャンクローラ５６を接着によって容易に取り付けることができる。さらに、肉盗み部４６によってシャンクホルダ４１が軽量化され、ハンマー２の回動速度が高められることによって、豊かな音量が得られるなどの効果を得ることができる。
【００４９】
なお、本発明は、説明した実施形態に限定されることなく、種々の態様で実施することができる。例えば、実施形態では、合成樹脂としてＡＢＳ樹脂を用いているが、他の適当な合成樹脂を用いることが可能である。また、第１実施形態では、シャンクローラとして断面が半円形状のものを用いているが、通常と同様、円形状のものを採用してもよく、さらに、シャンクホルダの中芯接着部や表皮接着部の構成についても、シャンクローラの形状などに応じて適宜、変更することが可能である。また、実施形態では、ハンマー２を軽量化するために、シャンクホルダ７，４１に肉盗み部１６，４６をそれぞれ形成しているが、ハンマー２の剛性を優先する場合には、これらの肉盗み部１６，４６を省略してもよい。
【００５０】
さらに、実施形態は、本発明をアコースティックなグランドピアノのハンマー装置に適用した例であるが、本発明を、他のタイプのピアノ、例えばグランド型電子ピアノや自動演奏ピアノのハンマー装置に適用してもよいことは、もちろんである。その他、本発明の趣旨の範囲内で、細部を適宜、変更することが可能である。    
【図面の簡単な説明】
【００５１】
【図１】本発明の第１実施形態によるグランドピアノのハンマー装置の斜視図である。
【図２】図１のハンマーシャンクのシャンクホルダの下面側から見た斜視図である。
【図３】シャンクホルダの（ａ）平面図、（ｂ）背面図および（ｃ）側面図である。
【図４】シャンクホルダにシャンクホルダおよびシャンクローラを取り付けた状態の部分側面図である。
【図５】図１のハンマー装置を含むグランドピアノの鍵盤装置の側面図である。
【図６】本発明の第２実施形態によるシャンクホルダの下面側から見た斜視図である。
【図７】従来のグランドピアノのハンマー装置の斜視図である。
【図８】図７のハンマー装置を含む従来のグランドピアノの鍵盤装置の側面図である。
【符号の説明】
【００５２】
１  ハンマー装置
２  ハンマー
３  シャンクフレンジ
４  ハンマーシャンク
５  ハンマーヘッド
６  シャンク本体
７  シャンクホルダ
１２  シャンクローラ
１３  ローラ芯（シャンクローラ取付部）
１４  中芯接着部（シャンクローラ取付部）
１５  表皮接着部（シャンクローラ取付部）
１６  肉盗み部
１７  中芯
１７ａ  周面
１７ｂ  底面
１７ｃ  凹部
１８  表皮    
２２  鍵
４１  シャンクホルダ
４５  取付溝（シャンクローラ取付部）
４６  肉盗み部
【図１】
2006171617.tif 000003
【図２】
2006171617.tif 000004
【図３】
2006171617.tif 000005
【図４】
2006171617.tif 000006
【図５】
2006171617.tif 000007
【図６】
2006171617.tif 000008
【図７】
2006171617.tif 000009
【図８】
2006171617.tif 000010